(57)【要約】      （修正有）【課題】撮像した複数の画像を手動によらず容易に選択出来る様にする。【解決手段】複数のデータを選択し、再生するためのデータ再生装置であって、入力データから特徴量を検出する運動検出部と、検出した特徴量に基づいて複数のデータを選択するデータ選択部とを備える。【選択図】      図６
2005277904.tif 000002
【特許請求の範囲】
【請求項１】
入力データから特徴量を検出する特徴量検出手段と、
検出した特徴量に基づいて複数のデータから少なくとも１つのデータを選択する選択手段と、
選択したデータを再生する再生手段と、
を備えるデータ再生装置。
【請求項２】
請求項１記載のデータ再生装置であって、
前記再生手段は、選択したデータから作成したシナリオに基づいてデータを再生するデータ再生装置。
【請求項３】
請求項２記載のデータ再生装置であって、
前記選択手段は、検出した特徴量に基づいて、画像データ、音楽データ及び視覚効果データのうち少なくとも画像データを選択するデータ再生装置。
【請求項４】
請求項１〜３のいずれか一項記載のデータ再生装置であって、
前記入力データとして加速度センサの出力信号を与える入力データ付与手段を備えるデータ再生装置。
【請求項５】
請求項１〜３のいずれか一項記載のデータ再生装置であって、
前記入力データとして通信端末から取得した信号を与える入力データ付与手段を備えるデータ再生装置。
【請求項６】
請求項１〜５のいずれか一項記載のデータ再生装置を搭載した携帯端末。
【請求項７】
入力データから特徴量を検出し、
検出した特徴量に基づいて複数のデータから少なくとも１つのデータを選択し、
選択したデータを再生するデータ再生方法。
【発明の詳細な説明】
【技術分野】
【０００１】
本発明は、データを再生するデータ再生装置及びデータ再生方法に関する。
【背景技術】
【０００２】
従来、カメラを搭載した携帯電話やＰＤＡで撮影して得られた複数の画像を再生する場合、再生した画像を１つずつ手動で選択するようにしている。また、従来の携帯電話端末には、端末本体を振ることで受話音量を調整できようにしたものがある（例えば、特許文献１参照）。
【０００３】
【特許文献１】特開平１１−２５２２４０号公報（第５頁、第５図）
【発明の開示】
【発明が解決しようとする課題】
【０００４】
しかしながら、従来の携帯電話端末においては、撮影して得られた複数の画像を再生する場合、それらを１つずつ手動で選択するので、手間がかかり煩わしい。
【０００５】
本発明は、上記事情に鑑みてなされたものであり、データを容易に選択できるデータ再生装置及びデータ再生方法を提供することを目的とする。
【課題を解決するための手段】
【０００６】
本発明のデータ再生装置は、入力データから特徴量を検出する特徴量検出手段と、検出した特徴量に基づいて複数のデータから少なくとも１つのデータを選択する選択手段と、選択したデータを再生する再生手段と、を備える。上記構成によれば、検出した特徴量に基づいて複数のデータから少なくとも１つのデータを選択する選択手段を備えることにより、入力データを与えるだけで、対応するデータが選択される為、データを容易に選択できる。
【０００７】
また、本発明のデータ再生装置は、前記再生手段が、選択したデータから作成したシナリオに基づいてデータを再生する。また、本発明のデータ再生装置は、前記選択手段が、検出した特徴量に基づいて、画像データ、音楽データ及び視覚効果データのうち少なくとも画像データを選択する。
【０００８】
また、本発明のデータ再生装置は、前記入力データとして加速度センサの出力信号を与える入力データ付与手段を備える。また、本発明のデータ再生装置は、前記入力データとして通信端末から取得した信号を与える入力データ付与手段を備える。
【０００９】
また、本発明の携帯端末は、本発明のデータ再生装置を搭載したものである。
【００１０】
さらに、本発明のデータ再生方法は、入力データから特徴量を検出し、検出した特徴量に基づいて複数のデータから少なくとも１つのデータを選択し、選択したデータを再生する。
【発明の効果】
【００１１】
本発明によれば、検出した特徴量に基づいて複数のデータから少なくとも１つのデータを選択することにより、入力データを与えるだけで、対応するデータが選択される為、データを容易に選択できる。
【発明を実施するための最良の形態】
【００１２】
図１は、本発明の一実施の形態を説明するためのデータ再生装置の概略構成図である。以下、データ再生装置１がカメラ等の撮像装置を有する携帯端末に搭載された場合について説明する。なお、携帯端末は、例えば携帯電話端末、ＰＨＳ(Personal Handy-phone System)、ＰＤＡ（Personal Digital Assistance）等である。
【００１３】
同図に示すデータ再生装置１は、加速度センサ１０、入力データから特徴量を検出する運動検出部１１、各部を制御する制御部１２、複数種類のデータを格納するデータ格納部１３、検出した特徴量に基づいて複数のデータから少なくとも１つのデータを選択するデータ選択部１４、選択したデータを再生する再生処理部１５及び画像を表示するディスプレイ１６を備えて構成される。
【００１４】
加速度センサ１０は、３軸（Ｘ、Ｙ、Ｚ）方向の加速度をそれぞれ検出し、各軸方向の検出信号を出力する。運動検出部１１は、加速度センサ１０の出力信号から携帯端末の動きの特徴量を検出する。運動検出部１１は、予め定められた一定時間（数十秒程度）で得られる時系列の波形データの特徴量を検出する。例えば以下の特徴量を検出する。
・最大振幅（絶対値）
・平均振幅（正、負）
・振幅回数（ゼロクロスの数）
【００１５】
図２は、加速度センサ１０のある軸方向のセンサ出力を示す波形図である。この図では、横軸が時間、縦軸が加速度を示す。他の軸方向のセンサ出力信号もこの図に示すような波形を示す。
【００１６】
図１に戻り、制御部１２は、装置各部を制御するものであり、制御プログラムが格納されたＲＯＭと、ワークメモリとして使用するＲＡＭがそれぞれ接続されている（ＲＯＭとＲＡＭともに図示略）。制御部１２は、運動検出部１１の特徴量検出結果をデータ選択部１４に与えるとともに、データ選択部１４にて選択された画像データ、音楽データ等の複数種類のデータを再生処理部１５に与える。また、制御部１２は、カメラで撮像された静止画像をデータ格納部１３に格納する。
【００１７】
図３は、データ格納部が格納するデータの例を示す図である。データ格納部１３は、図３に示す画像データ及び音楽データの他、エフェクト（効果）データなど各種データを格納する。本実施の形態では、データ格納部１３は、携帯端末のカメラで撮影された被写体の画像データやテンポの異なる様々な種類の音楽のデータ等、複数種類のデータを格納する。なお、データ格納部１３に格納されるデータは、予め携帯端末のメーカ側で用意しておいても良いし、ユーザがデータ配信サイトにアクセスしてダウンロードする、フラッシュメモリ等の記録媒体を介して取り込む等、どのように取得しても良い。
【００１８】
データ選択部１４は、運動検出部１１が検出した携帯端末の動きの特徴量に基づいて画像データ、音楽データ及びエフェクトデータのうち少なくとも画像データを選択する。データ選択部１４の処理の詳細については後述する。再生処理部１５は、データ選択部１４が選択したデータを用いて作成したシナリオにしたがって、複数種類のデータを再生する。再生処理部１５は、選択した複数のデータから作成したシナリオに基づいて複数のデータを再生するものであり、選択されたデータに応じて、画像データに視覚効果を施してディスプレイ１６に表示する、画像データと音楽データをともに再生する等、複数種類のデータを再生する。なお、シナリオ作成は、公知のシナリオ作成技術を用いる。
【００１９】
ここで、データ選択部１４における画像データと音楽データの選択処理について詳細に説明する。
【００２０】
（画像データ選択処理）
図４は、画像データ選択処理を説明するための図である。データ選択部１４は、例えばＸ軸、Ｙ軸、Ｚ軸の各方向の振幅最大値から、基準となるＲＧＢカラーモデル（図示略）のＲ、Ｇ、Ｂそれぞれの値を決定し、その色に近い画像データをデータ格納部１３の中から選択する。図４は、Ｘ、Ｙ、Ｚ各軸方向の振幅最大値（Ｘmax、Ｙmax、Ｚmax）の比（Ｙmax/Ｘmax、Ｚmax/Ｘmax）と、ある画像の平均ＲＧＢ値（Ｒａ、Ｇａ、Ｂａ）の比（Ｇａ/Ｒａ、Ｂａ/Ｒａ）を２次元座標で示したものであり、Ｘ、Ｙ、Ｚ各軸方向の振幅最大値の比と画像の平均ＲＧＢ値の比との間の距離が類似度を表す。また画像の平均ＲＧＢ値（Ｒａ、Ｇａ、Ｂａ）は画像を構成するＲ、Ｇ、Ｂそれぞれの平均を求めたものである。データ格納部１３に格納された全ての画像について平均ＲＧＢ値の比を求め、それぞれをＸ、Ｙ、Ｚ各軸方向の振幅最大値の比と比較する。そして、最も値の近い画像、即ち類似度の高い１つの画像を再生する画像として選択する。この構成によれば、データ再生装置１が搭載された携帯端末を振る方向によってＸ、Ｙ、Ｚ各軸方向の振幅最大値の比を変化させることができるため、振り方の態様によって、ユーザの意向を反映したデータ選択が可能となる。
【００２１】
画像データを選択する際、長期間のセンサ出力の平均振幅で画像の枚数を選択し、その後、当該期間のセンサ出力を短期間に区切り、それぞれの期間について画像データを選択するようにしても良い。複数の画像データを選択すれば、異なる複数の画像を用いてショートフィルム（動画像）を生成できる。センサ出力の平均振幅で画像の枚数を選択する場合、平均振幅に所定の係数Ｂを掛けて、その結果を整数値にすると良い。当然ながら、一定のリズムで携帯端末を振った場合は、同一の画像が選択されることになり、リズムを変えて振った場合には、異なる画像が選択されることになる。
【００２２】
図５は、画像データ選択処理手順を示すフローチャートである。まず、加速度センサの出力信号から検出したＸ、Ｙ、Ｚ各軸方向の振幅最大値（Ｘmax、Ｙmax、Ｚmax）の比を求める（ステップＳ１０）。そして、データ格納部１３に格納されている画像データを検索して１つを選択し（Ｓ１１）、選択した画像データの平均ＲＧＢ値（Ｒａ、Ｇａ、Ｂａ）の比を求める（Ｓ１２）。次に、Ｘ、Ｙ、Ｚ各軸方向の振幅最大値（Ｘmax、Ｙmax、Ｚmax）の比と現在の画像データの平均ＲＧＢ値（Ｒａ、Ｇａ、Ｂａ）の比との類似度を計算する（Ｓ１３）。それぞれを２次元座標の頂点とみなしてその距離を計算して類似度とする。上記処理Ｓ１１〜Ｓ１３を格納されている全ての画像データに対して行い、最終的に一番類似度の近かったものを素材画像として選択する（Ｓ１４）。データ選択部１４は、このようにして選択した画像データを制御部１２経由で再生処理部１５に送る。
【００２３】
（音楽データ選択処理）
音楽データの選択においては、Ｘ、Ｙ、Ｚの各軸方向の単位時間における振幅回数の平均値（Ｆａ）に応じて、値が大きい場合はテンポの速い音楽データを選択し、値が小さい場合はテンポの遅い音楽データを選択する。具体的には、振幅回数の平均値Ｆａに所定の係数Ａを掛けて、その値を基準ビート数（Ａ×Ｆａ）とし、データ格納部１３の中からビート数が基準ビート数（Ａ×Ｆａ）に最も近い音楽データを選択する。データ選択部１４は、このようにして選択した音楽データを制御装置１２経由で再生処理部１５に送る。この構成によれば、データ再生装置１が搭載された携帯端末を振る回数によって振幅回数の平均値を変化させることができるため、振り方の態様によって、ユーザの意向を反映したデータ選択が可能となる。
【００２４】
なお、テンポが異なる音楽データの選択を例に説明したが、これに限定されるものではなく、例えばジャズ、ロック、クラッシック、歌謡曲などジャンルの異なる音楽データを選択するようにしてもよい。加速度センサ１０のＸ、Ｙ、Ｚの各軸方向の単位時間における振幅回数の平均値に応じて、異なる音楽データを選択するようにすればよい。
【００２５】
また、音楽データを画像データと予め対応付けておき、選択された画像データに応じて、音楽データを１つ又は複数選択するようにしてもよい。これにより、画像データに合わせて音楽データを選択できる。
【００２６】
データ選択部１４は、画像データ、音楽データ以外に例えば画像エフェクトデータや音楽エフェクトデータ等を選択しても良い。画像データと画像エフェクトデータ、音楽データと音楽エフェクトデータをそれぞれ予め対応付けておけば、これらのデータを選択できる。なお、データ選択部１４のデータ選択方法は、上述した方法に限られない。例えば、特徴量と選択するデータとを予め対応付けておけば、運動検出部１１が検出した特徴量に基づいて、少なくとも１つのデータを選択できる。なお、選択するデータは、同一種類の複数のデータでも良いし、異なる種類のデータでも良い。
【００２７】
図６は、データ再生装置１の動作を示すフローチャートである。まず、データ再生装置１を搭載した携帯端末がユーザによって振られると、加速度センサ１０の３軸方向出力が運動検出部１１にて一定時間継続して読み取られる（ステップＳ２０）。運動検出部１１は、当該時間における加速度センサ１１０の出力波形データから携帯端末本体を振る運動の特徴量のパラメータ（最大振幅、振幅回数等）を検出する（Ｓ２１）。これらのパラメータは制御部１２によってデータ選択部１４に与えられる。データ選択部１４は、検出した特徴量に基づいて、データ格納部１３から画像データと音楽データを選択し（Ｓ２２）、選択した画像データと音楽データを制御部１２経由で再生処理部１５に与える。再生処理部１５は、画像データと音楽データを用いてシナリオを生成し、シナリオにしたがって画像及び音楽を再生する（Ｓ２３）。これにより、再生された画像がディスプレイ１６に表示され、再生された音楽が携帯端末の図示せぬスピーカから出力される。
【００２８】
このように、データ再生装置１は、携帯端末を振るという運動を加速度センサ１０で検出し、そのセンサの出力信号を入力データとして取り込み、入力データから携帯端末を振る運動の特徴を示す特徴量のパラメータを検出し、検出したパラメータに基づいて複数種類のデータを選択して再生する。これにより、従来のような複数の画像データや音楽データを１つずつ手動で選択するといった操作を行う必要がなく、携帯端末の振り方に応じて、ユーザの意向を反映させた複数種類のデータを極めて容易に選択することができる。
【００２９】
なお、上記実施の形態では、扱う画像をカラー画像として、加速度センサの出力信号に基づいてＲＧＢカラーモデルのＲ、Ｇ、Ｂそれぞれの値を決定し、その色に近いカラー画像データを選択するようにしたが、扱う画像は白黒画像であっても構わない。白黒画像の場合、例えば白黒の割合を求めて、それに近い白黒画像データを選択すれば良い。
【００３０】
図７は、シナリオの例を示す図であり、画像データを４つ、画像エフェクトデータを３つ、音楽データを１つ選択した場合の再生シナリオを示す。再生処理部１５は、再生シナリオにしたがってなお、画像毎に音楽データを選択するようにしても良い。
【００３１】
また、上記実施の形態では、入力データとして加速度センサ１０の出力信号を用いる例を説明したが、データの選択を何に基づいて行うかは、加速度センサ１０の出力信号に限定されるものでなく、携帯通信端末から取得した信号等、様々な信号の使用が可能である。例えば以下のものが挙げられる。
【００３２】
（ａ）携帯端末に対する動作
・携帯端末のテンキーを用いて連続入力した数字のデータ（このときの連続するキー信号波形）
【００３３】
（ｂ）携帯端末に関するデータ
・画像再生時の電界強度（数値）
・データを再生しようとする日の通話時間（数値）、その日までの過去数日間分の日ごとの通信時間数（波形）
・データを再生しようとする日のパケット通信料（数値）
【００３４】
・データを再生しようとする日までの過去数日間分の日ごとのパケット通信量（波形）
・データを再生しようとする日の着信件数及び発信件数（数値）
・データを再生しようとする日までの過去数日間分の日ごとの着信件数及び発信件数（波形）
・データを再生しようとする日のメール着信数及び送信数（数値）
・データを再生しようとする日までの過去数日間分の日ごとのメール着信数及び送信数（波形）
・過去の通話における通話中の音声のデータ（波形）
【００３５】
（ｃ）携帯端末で測定したユーザのバイタルサイン（呼吸、心拍、血圧等）
・脈拍：データを再生しようとする時の脈拍数（数値）、データを再生しようとする日までの過去数日間分の脈拍数のデータ（波形）
・呼吸：ある時間の間に呼吸音を測定した音のデータ（波形）
【００３６】
・体温：データを再生しようとする時の体温（数値）、データを再生しようとする日までの過去数日間分の体温のデータ（波形）
・血圧：データを再生しようとする時の血圧（数値）、データを再生しようとする日までの過去数日間分の血圧のデータ（波形）
・その他：生態情報検出用の機器を用いて、体内で発生している微弱な電気や音を測定したデータ（波形）
【００３７】
また、上記実施の形態では、データ再生装置を携帯端末に搭載した場合について説明したが、携帯端末以外にも、例えば、ビデオカメラ、ビデオプリンタ、テレビ、ＶＴＲ、ＤＶＤプレーヤなどに搭載できる。
【産業上の利用可能性】
【００３８】
本発明のデータ再生装置及びデータ再生方法は、検出した特徴量に基づいて複数のデータから少なくとも１つのデータを選択することにより、入力データを与えるだけで、対応するデータが選択される為、データを容易に選択できる効果を有し、データを再生するデータ再生装置及びデータ再生方法等に有用である。
【図面の簡単な説明】
【００３９】
【図１】本発明の一実施の形態を説明するためのデータ再生装置の概略構成図
【図２】加速度センサのある軸方向のセンサ出力を示す波形図
【図３】データ格納部が格納するデータの例を示す図
【図４】画像データ選択処理を説明するための図
【図５】画像データ選択処理手順を示すフローチャート
【図６】データ再生装置の動作を示すフローチャート
【図７】シナリオの例を示す図
【符号の説明】
【００４０】
１  データ再生装置
１０  加速度センサ
１１  運動検出部
１２  制御部
１３  データ格納部
１４  データ選択部
１５  再生制御部
１６  ディスプレイ
【図１】
2005277904.tif 000003
【図２】
2005277904.tif 000004
【図３】
2005277904.tif 000005
【図４】
2005277904.tif 000006
【図５】
2005277904.tif 000007
【図６】
2005277904.tif 000008
【図７】
2005277904.tif 000009